(57)【特許請求の範囲】
【請求項１】
複数の異なる撮影条件を定める手動設定モードの複数の設定値と前記撮影条件を自動的に定める１つの自動設定モードとを、所定の順序に従って順次切り替えることにより撮影条件を設定する撮影条件設定手段を備えたカメラにおいて、
前記手動設定モードの複数の設定値のいずれが設定されているときも、該設定値に関わらず、前記撮影条件設定手段が、その時点で設定されている手動設定モードの設定値の隣に前記自動設定モードが配列されるように前記順序を定めるものであることを特徴とするカメラ。
【請求項２】
前記手動設定モードの複数の設定値のいずれが設定されているときも、該設定値に関わらず、前記撮影条件設定手段が、その時点で設定されている手動設定モードの設定値の両隣に前記自動設定モードが配列されるように前記順序を定めるものであることを特徴とする請求項１に記載のカメラ。
【発明の詳細な説明】
【０００１】
【発明の属する技術分野】
本発明はカメラ、特に、撮影条件を設定するカメラのモード切替えに関するものである。
【０００２】
【従来の技術】
周知のように、カメラ（１３５フィルムを用いるカメラ，ＡＰＳフィルムを用いるＡＰＳシステムカメラや，いわゆる中判あるいは大判カメラといわれるブローニーフィルムを用いるカメラ、更にはフィルムホルダやＡＥファインダがカメラ本体に着脱可能になったシステムカメラといわれるものも含む）には、絞り（ＡＶ値），シャッタ速度（ＴＶ値），フィルムの感度（ＩＳＯ感度）等の撮影条件を設定するために、所定の設定ダイヤルあるいは設定ボタンが設けられている。撮影条件は、例えば設定ダイヤルを回動して所望の設定値を選択することにより設定できる。また、設定値はダイヤルに刻印されているものや、液晶（ＬＣＤ）等の表示装置を備え、該表示装置に設定値を表示するようにしたものもある。
【０００３】
ところで、多くのカメラにおいては、ＡＶ値やＴＶ値を予め定められた複数の設定値のなかから選択して手動操作で設定する（手動設定モード）だけでなく、カメラの撮影モードを自動露出モードとすることにより、被写体の輝度情報を検出して所定の演算を行って、夫々の設定値を自動的に設定することができる。
【０００４】
また、ＩＳＯ感度の設定も上記同様手動操作で設定するだけでなく、ＤＸコード（１３５フィルムの場合）やバーコード（ＡＰＳフィルムカートリッジの場合）を読み取って、コードに含まれている感度情報にしたがって自動的に設定することができる。
【０００５】
また、ブローニーフィルムを用いるカメラにおいても、近時フィルムと裏紙を接合するテープ上にＩＳＯ感度等の各種情報の入ったバーコードが印刷された紙片を貼り付けたバーコードシステムのフィルムが提案され、このバーコードを読み取ることによってＩＳＯ感度を自動的に設定できるようにしたカメラが提案されている（写真工業；1997年10月号P58〜67参照）。
【０００６】
【発明が解決しようとする課題】
一方、自動設定モードと複数の手動設定モードのいずれかを選択するに際しては、例えばＩＳＯ設定のための設定ダイヤルの所定の回転角の位置に夫々の設定を割り付け、カメラ本体の指標と設定表示とを合わせることにより所望の設定を選択する方法がある（図５（Ａ）参照）。図５（Ａ）に示した例でいえば、同図ダイヤルの左側に示したようにＩＳＯ値６〜６４００までの所定の手動設定モードのＩＳＯ感度（数値）と、自動設定モード（ＡＵＴＯ）がダイヤルの回動により選択できる。したがって、これによれば、設定ダイヤル１つで全ての設定を選択できるという利点がある。一方、例えばＩＳＯ値４００が設定されているときに自動設定モードを選択しようとしても、８００〜６４００を経由しなければならず瞬時に自動設定モードを選択することができない。唯一ＩＳＯ値６４００が設定されているときにのみ瞬時に自動設定モードを選択することができるにすぎない。なお、本例ではＩＳＯ値６からＡＵＴＯへ（その逆も同じ）は直接設定することはできないものであるが、たとえＩＳＯ値６からＡＵＴＯへ（その逆も同じ）直接設定できるような場合であっても上記同様に瞬時に自動設定モードを選択することができない。
【０００７】
また、上記図５（Ａ）における自動設定モードのみをＩＳＯ設定ダイヤルとは別のモード設定ダイヤルに割り当て、自動設定モードと手動設定モードとをこのモード設定ダイヤルで選択するようにし、手動設定モードが選択されているときのみ手動設定のＩＳＯ値が選択できるようにしたものもある（図５（Ｂ）参照）。図５（Ｂ）に示した例でいえば、ＩＳＯ値は、フル自動設定（ＰＲＧＭ），絞り手動設定（ＡＶ）またはシャッタ手動設定（ＴＶ）を選択しているときには自動設定モードとなり、感度手動設定（ＩＳＯ）を選択しているときには手動設定モードになる。したがって、これによれば、手動ＩＳＯ設定ダイヤルで手動設定モードにおいて所望のＩＳＯ値を設定でき、また、モード設定ダイヤルを回動することにより手動のいずれの手動のＩＳＯ値からも瞬時に自動設定モードに切り替えることができるという利点がある。一方、ＩＳＯ値の設定に２つの操作ダイヤルを必要とすることから、操作が面倒になるという問題が生じる。
【０００８】
また、上記問題は、回動するダイヤルのスイッチ検出に合わせて、表示装置に設定値を順次変更しながら表示させることによって、所望の設定値を選択するようにしたものにおいても同様に生じる。
【０００９】
また、ＩＳＯ値の設定に限らず、シャッタ速度や絞りの設定においても上記ＩＳＯ値の設定と同様の設定方法を採ることができ、その場合にも上記同様の問題を生じる。
【００１０】
本発明は上記事情に鑑みてなされたものであり、絞り、シャッタ速度、フィルム感度等の撮影条件を設定するに際し、複数存在する手動設定モードのいずれの設定値からも瞬時に自動設定モードを選択でき、かつ、設定操作を簡易に行えるカメラを提供することを目的とするものである。
【００１１】
【課題を解決するための手段】
本発明によるカメラは、複数の異なる撮影条件を定める手動設定モード中の複数の設定値と撮影条件を自動的に定める１つの自動設定モードとを、所定の順序に従って順次切り替えることにより撮影条件を設定する撮影条件設定手段を備えたカメラであって、手動設定モード中の複数の設定値のいずれが設定されているときも、その設定値に関わらず、撮影条件設定手段が、その時点で設定されている手動設定モードの設定値の隣に自動設定モードが配列されるように順序を定めるものであることを特徴とする。
【００１２】
ここで「撮影条件」とあるのは、例えばフィルム感度（ＩＳＯ感度），絞り値（ＡＶ値），シャッタ速度（ＴＶ値）等である。
【００１３】
【発明の効果】
本発明によるカメラによれば、手動設定値がいずれの値に設定されていても、その時点で設定されている設定値の隣に自動設定モードが配列されるようにした、すなわち複数ある手動設定値の所定の配列順序に中に、その時点で設定されている設定値の隣に浮動の自動設定モードを配列するようにしたので、現在設定されている手動設定値がいずれのものであっても、瞬時にすぐとなりの自動設定モードを選択することができるようになる。
【００１４】
【発明の実施の形態】
以下、本発明によるカメラの実施の形態について、図面を参照して詳細に説明する。
【００１５】
図３は本発明による実施の形態であるカメラの上面図である。このカメラは、カメラ本体１、カメラ本体１と着脱可能なレンズユニット２およびフィルムホルダ３から成るブローニーフィルムを用いるシステムカメラであり、レンズユニット２はアオリ機構４を介してカメラ本体１にマウントされている。また、カメラ本体１には焦点板（図中矢印Ｘ）を覆うように図示しないＡＥファインダが装着可能になっている。レンズユニット２には絞り値を調整するための絞り調節レバー（図示せず）が設けられている。
【００１６】
カメラ本体１の図中右側面には撮影モードを設定するモード切替ダイヤル1aおよびシャッター速度を設定するシャッター設定ダイヤル1bが備えられている。また、フィルムホルダ３の上面には液晶（ＬＣＤ）からなる表示部3a、アップ／ダウンダイヤル3b、トータルショットボタン31，フレーム番号ボタン32，１コマ目を設定する１stフレームセットボタン33，撮影データ／ＩＳＯ切替ボタン34，日付ボタン35，ＬＣＤライトボタン36からなるボタン部3cが備えられている。
【００１７】
表示部3a（図４に示す拡大図を参照）は、フィルム感度の他、ＡＶ値，ＴＶ値，撮影の日付，撮影の時間，トータルショット数，フレーム番号（コマ番号）を選択的あるいは幾つかのものを組み合わせて表示するブロック10と、フィルム感度が自動設定モードにあることを示すＡＵＴＯ表示11と、前記ブロック10にフィルム感度が表示されていることを示すＩＳＯ表示12と、後述する写込みデータの設定の種類を示すブロック13と、撮影されるフィルムのフレーム番号を示すフィルムカウンタ表示14と、フィルムホルダ３に内蔵されている電池の消耗度を示す電池マーク表示15と、フィルムホルダ３に内装されたフォーマットマスク（撮影サイズを変更するマスクであり、例えば、６×７cm判用，６×４．５cm判用等）のサイズを示す画面サイズ表示16、使用されているフィルムの種別（例えば、ブローニー判の１２０または２２０フィルムの種別）を示すフィルム種別表示17との各種表示部分とからなっている。
【００１８】
表示部3aのブロック10には、絞りやシャッタ速度を設定する際にはその設定値が表示され、また、通常撮影時には設定されているＩＳＯ値（例えば、１００、２００、あるいは４００等）が常時表示される。なお、このカメラはバーコードシステムのブローニーフィルムに対応しており、バーコードを読み取ってフィルム感度を自動的に設定する感度自動設定モードが選択できる。
【００１９】
カメラ本体１およびフィルムホルダ３の夫々には図示しないＣＰＵ（マイクロプロセッサ）が備えられており、上述の各種操作ボタンや操作ダイヤル等の押下げあるいは回動を検出し、夫々予め定められたフローにしたがって所定の処理を行う。
【００２０】
以下、上記構成のカメラの作用について図１を参照して説明する。なお、図１ではステップ番号を＃印をつけて示す。
【００２１】
このカメラは、電源投入SWを兼ねたモード切替ダイヤル1aを電源投入位置に回動するとカメラ本体１およびフィルムホルダ３に内蔵された図示しないＣＰＵ（マイクロプロセッサ）が撮影シーケンスを開始する。
【００２２】
最初に撮影条件の１つであるフィルム感度の設定について説明する。フィルム感度の設定を行う手段は、アップ／ダウンダイヤル3bと撮影データ／ＩＳＯ切替ボタン34と表示部3cのブロック10とＣＰＵとから構成され、ＣＰＵが撮影データ／ＩＳＯ切替ボタン34の押下げを検出して設定値変更モードに移行させ、アップ／ダウンダイヤル3bの回動の検出に合わせてＩＳＯ値をブロック10に表示しながら、以下のようにして行われる。
【００２３】
電源投入直後は先の撮影時に設定されていたＩＳＯ値をブロック10に表示する。ＩＳＯ値がブロック10に表示されているときに、撮影データ／ＩＳＯ切替ボタン34を所定時間（例えば、２秒程度）押し続けると図１に示すＩＳＯ値を変更できる設定値変更処理が開始する。
【００２４】
設定値変更処理を行うための設定カウンタ値とＩＳＯ値が、例えばＩＳＯ値６に対してカウンタ値０，ＩＳＯ値12に対してカウンタ値１等のように対応づけられている（図２（Ａ）〜（Ｃ）の各（ａ）参照）。
【００２５】
最初に、現在設定されているＩＳＯ値に対応する設定カウンタ値を記憶（待避）し（ステップ１；＃１）、そのＩＳＯ値の表示を点滅させる（＃２）。図２（Ａ）（ａ）ではＩＳＯ値４００が設定されていたものとしている。
【００２６】
アップ／ダウンダイヤル3bの回動を検出し（＃３、＃４）、ダイヤル3bの回動変化がなければステップ５に移行して撮影データ／ＩＳＯ切替ボタン34の押下げを検出し、ボタン34の押下げがあればＩＳＯ値の変更処理を終了し通常の表示モードに戻る（＃６）。ボタン34の押下げがなければ、まだＩＳＯ値の変更処理中であるとしてステップ３に戻る。なお、ボタン34の押下げによらず、アップ／ダウンダイヤル3bの回動が所定時間（例えば３秒）以上なければ自動的にＩＳＯ値の変更処理を終了させるようにしてもよい。
【００２７】
一方、アップ／ダウンダイヤル3bの回動変化があればステップ７に移行してその変化方向を判別し、変化方向がプラス（＋）であればステップ８に移行して設定カウンタ値を１インクリメントしてからステップ10に移行し、変化方向がマイナス（−）であればステップ９に移行して設定カウンタ値を１デクリメントしてからステップ10に移行する。
【００２８】
ステップ10で設定カウンタ値が所定範囲内になるか否かを判定し（本例では、０〜10）、所定範囲内になければ設定カウンタ値をリセットして現在設定カウンタ値（直前のカウンタ値；こちらの方がよい？）に戻してからステップ12に移行し（＃11）、設定カウンタ値が所定範囲内であればそのままステップ12に移行する。
【００２９】
ステップ12で設定カウンタ値が現在設定カウンタ値マイナス１であるか否かを判定し、設定カウンタ値が現在設定カウンタ値マイナス１であればステップ13に移行してＩＳＯ設定値をAUTOに設定してステップ15に移行する。一方、設定カウンタ値が現在設定カウンタ値マイナス１以外であればステップ14に移行して、設定カウンタ値が現在設定カウンタ値マイナス１以下であれば、ＩＳＯ値を設定カウンタ値を１インクリメントしたカウンタ値に対応する値に設定し、それ以外であればそのカウンタ値に対応する値に設定してステップ15に移行する。
【００３０】
ステップ15で、ブロック10に点滅表示されている現在設定されているＩＳＯ設定値を変更されたＩＳＯ値に変更して表示し、ステップ３へ戻り引き続き次のダイヤル回動検出を行う。
【００３１】
したがって、図２（Ａ）（ａ）に示すように、当初ＩＳＯ値が４００（設定カウンタ値６）であれば、アップ／ダウンダイヤル3bを設定カウンタ値のマイナス方向に回動すると「４００→AUTO→２００→１００→５０→２５→１２→６」という順序に従ってＩＳＯ値が選択でき、逆にアップ／ダウンダイヤル3bを設定カウンタ値のプラス方向に回動すると「４００→８００→１６００→３２００→６４００」という順序に従ってＩＳＯ値が選択できる（図２（Ａ）（ｂ）参照）。
【００３２】
ここで、例えば設定カウンタ値８すなわちＩＳＯ値１６００で撮影データ／ＩＳＯ切替ボタン34を押すとＩＳＯ値１６００が設定されて（＃５）、ＩＳＯ値の変更処理を終了し通常の表示モードに戻る（＃６）。
【００３３】
次に改めてＩＳＯ値を変更するには、ＩＳＯ値（この例では１６００）がブロック10に表示されているときに、撮影データ／ＩＳＯ切替ボタン34を所定時間押し続けることにより上記同様に図１に示すＩＳＯ値を変更できる設定値変更処理を開始させることができる。したがって、今度はアップ／ダウンダイヤル3bを設定カウンタ値のマイナス方向に回動すると「１６００→AUTO→８００→４００→２００→１００→５０→２５→１２→６」という順序に従ってＩＳＯ値が選択でき、逆にアップ／ダウンダイヤル3bを設定カウンタ値のプラス方向に回動すると「１６００→３２００→６４００」という順序に従ってＩＳＯ値が選択できる（図２（Ａ）（ｃ）参照）。ここで、例えば設定カウンタ値４すなわちＩＳＯ値１００で撮影データ／ＩＳＯ切替ボタン34を押すとＩＳＯ値１００が設定されて（＃５）、ＩＳＯ値の変更処理を終了し通常の表示モードに戻る（＃６）。
【００３４】
さらにＩＳＯ値を変更するには、上記同様ＩＳＯ値（この例では１００）がブロック10に表示されているときに、撮影データ／ＩＳＯ切替ボタン34を所定時間押し続け、設定値変更処理を開始させる。そうすると今度はアップ／ダウンダイヤル3bを設定カウンタ値のマイナス方向に回動すると「１００→AUTO→５０→２５→１２→６」という順序に従ってＩＳＯ値が選択でき、逆にアップ／ダウンダイヤル3bを設定カウンタ値のプラス方向に回動すると「１００→２００→４００→８００→１６００→３２００→６４００」という順序に従ってＩＳＯ値が選択できる（図２（Ａ）（ｄ）参照）。
【００３５】
このように、現在設定されているＩＳＯ値にかかわらず、現在設定されているＩＳＯ設定値のマイナス１側に必ず自動設定モード(AUTO)が配列された順序にしたがってＩＳＯ値の変更操作ができるようになる。
【００３６】
なお、上記説明では現在設定されているＩＳＯ設定値のマイナス１側に自動設定モードが配列された順序となるものについて説明したが、本発明は必ずしもこのようなものに限らず、例えば、ステップ12での判断を現在設定カウンタ値プラス１とし、ステップ14でそれに対応した処理とすることで、現在設定されているＩＳＯ設定値のプラス１側に自動設定モードが配列された順序とすることができ（図２（Ｂ）参照）、また、ステップ12での判断を現在設定カウンタ値プラスマイナス１とし、ステップ14でそれに対応した処理とすることで、現在設定されているＩＳＯ設定値のプラス１側およびマイナス１側の両方に自動設定モードが配列された順序とすることもできる（図２（Ｃ）参照）。
【００３７】
このように、上記いずれのものにおいても、ＩＳＯ値の変更に際して、現在設定されているＩＳＯ設定値の隣に自動設定モードが配列されるように設定順序を変えることができるから、現在設定されている手動設定モードがいずれの設定値にあっても瞬時に自動設定モードを選択することができる。
【００３８】
また、上記説明ではＩＳＯ値の設定すなわちフィルム感度の設定について説明したが、本発明はＩＳＯ値の設定に限らず、その他の撮影条件の設定、例えば絞り値（ＡＶ値）やシャッタ速度（ＴＶ値）の設定にも適用することができる。
【００３９】
また、上記説明ではアップ／ダウンダイヤル3bによって所定の設定値を設定するようにしたが、押しボタンスイッチの押圧によって設定するものであってもかまわない。
【図面の簡単な説明】
【図１】本発明によるカメラの撮影条件の設定処理を示すフローチャート
【図２】上記処理をフィルム感度の設定に適用した例を示す図（Ａ），（Ｂ），（Ｃ）
【図３】本発明の実施の形態であるカメラの上面図
【図４】上記カメラの表示部の拡大図
【図５】現状のフィルム感度設定の例を示す図
【符号の説明】
１    カメラ本体
２    レンズユニット
３    フィルムホルダ
４    アオリ機構
1a    モード切替ダイヤル
1b    シャッタ設定ダイヤル
3a    表示部
3b    アップ／ダウンダイヤル
3c    ボタン部
【図１】
0003657407.tif 000002
【図２】
0003657407.tif 000003
【図３】
0003657407.tif 000004
【図４】
0003657407.tif 000005
【図５】
0003657407.tif 000006